(57)【要約】【課題】  連結された２つのパイプの分離ないし連結解除を比較的容易に行うことができる連結スリーブの提供。【解決手段】  夫々１つの連結カラー（２、３）を備える２つのパイプ（４、５）を連結するための連結スリーブであって、該連結スリーブは、第１パイプ（４）を受容するため１つの側部で開口するパイプ受容凹部（７）を備える基底プレート（６）と、対向して位置する２つの側部において前記パイプ受容凹部（７）に平行に前記基底プレート（６）に設けられた２つの側壁（９、１０）と、夫々１つの側壁（９、１０）に設けられると共に、それらの間に第２パイプ（５）が導入可能に構成された２つのカバープレート（１１、１２）と、一方の側壁（１０）に結合され、屈曲領域（１５）において前記基底プレート（６）の方向及び前記基底プレート（６）から離隔する方向に弾性的に揺動可能に構成されると共に、反対側の（他方の）側壁（９）の方向に延在する弾性アーム（１３）を有し、前記弾性アーム（１３）が、前記基底プレート（６）の方向に延在し、少なくとも１つの連結カラー（２、３）に形成されたロックリセス（１７）に嵌り込むよう構成された係止爪（１６）と、前記基底プレート（６）から離隔するよう延在する解除要素（１９）を有することを特徴とする。【選択図】  図２
2009541669.tif 000002
【特許請求の範囲】
【請求項１】
夫々１つの連結カラー（２、３）を備える２つのパイプ（４、５）を連結するための連結スリーブであって、
該連結スリーブは、
第１パイプ（４）を受容するため１つの側部で開口するパイプ受容凹部（７）を備える基底プレート（６）と、
対向して位置する２つの側部において前記パイプ受容凹部（７）に平行に前記基底プレート（６）に設けられた２つの側壁（９、１０）と、
夫々１つの側壁（９、１０）に設けられると共に、自身の間に第２パイプ（５）が導入可能に構成された２つのカバープレート（１１、１２）と、
一方の側壁（１０）に結合され、可撓領域（１５）において前記基底プレート（６）の方向及び前記基底プレート（６）から離隔する方向に弾性的に揺動可能に構成されると共に、反対側の（他方の）側壁（９）の方向に延在する弾性アーム（１３）を
有し、
前記弾性アーム（１３）が、前記基底プレート（６）の方向に延在し、少なくとも１つの連結カラー（４）に形成されたロックリセス（１７）に嵌り込むよう構成された係止爪（１６）と、前記基底プレート（６）から離隔するよう延在する解除要素（１９）を有する
ことを特徴とする連結スリーブ。
【請求項２】
前記弾性アーム（１３）は、矩形状断面を有すること
を特徴とする請求項１に記載の連結スリーブ。
【請求項３】
前記弾性アーム（１３）は、前記カバープレート（１１、１２）の面内において、この面に直交する方向におけるよりも、より大きな材料厚さを有すること
を特徴とする請求項２に記載のスリーブ。
【請求項４】
前記弾性アーム（１３）は、前記側壁（１０）に形成され、当該弾性アーム（１３）よりもより大きい曲げ抵抗性を有するよう構成された取付基部（１４）に設けられること
を特徴とする請求項１〜３の何れか１項に記載の連結スリーブ。
【請求項５】
前記係止爪（１６）は、平坦な舌状部分として構成されること
を特徴とする請求項１〜４の何れか１項に記載の連結スリーブ。
【請求項６】
前記舌状部分は、前記パイプ受容凹部（７）の開口側から前記基底プレート（６）の方向に向って斜めに離隔するよう延在すること
を特徴とする請求項５に記載の連結スリーブ。
【請求項７】
前記解除要素（１９）は、前記基底プレート（６）に平行に配向された操作部分（２２）を有すること
を特徴とする請求項１〜６の何れか１項に記載の連結スリーブ。
【請求項８】
前記操作部分（２２）は、当該操作部分（２２）の前記基底プレート（６）を指向する側に、平坦な工具作用面を有すること
を特徴とする請求項７に記載の連結スリーブ。
【発明の詳細な説明】
【技術分野】
【０００１】
本発明は、夫々１つの連結カラーを備える２つのパイプを連結するための連結スリーブに関する。
【背景技術】
【０００２】
ＤＥ３０３５６６９Ａ１には、係止フックによって互いに対し分離可能に連結される少なくとも２つの部材を有する装置が記載されている。この装置では、第１の部材が、係止エッジを備え、第２の部材が、（開口部に嵌まり込んで）係止エッジにその背後から弾力的に係合する係止ノーズを有する係止フックを備える。係止ノーズは、係止方向（係止力が生成される方向）に対し横方向にシフトすることにより、その係止位置から係止エッジとの係合が解除された開放位置に移すことができるが、この開放位置では、係止ノーズは、横方向にシフトして再び係止位置に戻らないように係止装置によって保護される。このため、これらの（連結されるべき）部材は、多大な組立ての手間や特別な工具を必要とすることなく、比較的容易に互いに分離することは可能ではある。
【発明の開示】
【発明が解決しようとする課題】
【０００３】
ＦＲ２８５６７７０Ａ１には、夫々１つの連結カラーを備えた２つの管を連結するためのスリーブが記載されている。このスリーブは、半径方向外方に突出する２つの舌状部を備え、該舌状部は、スリーブが連結カラーの周囲に配置される（外側から嵌め合わされる）ことにより、収容ケースに形成された係止ノーズに背後から係合する。しかしながら、係合フック（係合ノーズ）は収容ケースの内部に形成されており、従って、アクセスが困難なので、このスリーブの分離（取り外し）は比較的手間を要する。
【０００４】
本発明の課題は、夫々１つの連結カラーを備える２つのパイプを連結するための連結スリーブであって、該（連結された）２つのパイプの分離ないし連結解除を比較的容易に行うことができる連結スリーブを提供することである。
【課題を解決するための手段】
【０００５】
上記の課題を解決するために、夫々１つの連結カラーを備える２つのパイプを連結するための連結スリーブが提供される。この連結スリーブは、請求項１の特徴を有することを特徴とする。
【発明を実施するための最良の形態】
【０００６】
本発明の連結スリーブは、連結されるべき（２つの）パイプの連結カラー（複数）に外側から（押し込んで）嵌め込むことができる。その際、ロック位置において、係止爪が、弾性アームの弾性的付勢力によって、連結カラーに形成されたロックリセスに嵌り込む（嵌入して係合する）。このため、連結スリーブは、意図しない（連結カラーからの）分離（連結解除）に対して保障される。連結スリーブを再び分離する（取り外す）ためには、係止爪とロックリセスとの嵌合（係合ロック）が解除され（係止爪がロックリセスから外れ）、連結スリーブが再び引出し可能になるまで、弾性アームは、相応に構成された工具と解除要素を係合した状態で、弾性的付勢方向に抗して揺動される（反らされる）必要がある。この操作は、容易に実行することはできるが、結合（連結）を解除するためには、意図的に実行されなければならない。
【０００７】
本発明の更に有利な形態は、従属請求項の対象である。
【０００８】
本発明の更に有利な形態および利点は、以下に詳述する図面を用いた実施例の説明から明らかになる。
【実施例】
【０００９】
図１は、夫々１つの連結カラー２、３を備える２つのシリンダー状パイプ４、５を連結するための本発明の連結スリーブ１の一実施例の斜視図である。この実施例では、連結カラー２、３は矩形状の形状（外形）を有し、パイプ４，５を越えて半径方向に延在している。
【００１０】
プラスチックの射出成形又は金属薄板の打ち抜き・折り曲げにより製造された連結スリーブ１は、１つの側部において開口するパイプ受容凹部７を有する平坦な基底プレート６を有する。パイプ受容凹部７は、連結スリーブ１の長手方向（嵌込方向、図１で水平方向）において、その開口側から横方向に延在する接続ウェブ８まで延在し、例えば第１パイプ４の外径に相当する幅を有する。連結スリーブ１の長手方向に平行に配向される（延在する）基底プレート６の互いに向い合う２つの縁部には、この実施例では、基底プレート６に対し直角に配向され（延在し）かつパイプ４、５の長手方向における２つの連結カラー２、３の厚さに相当する所定の距離をもって基底プレート６から夫々同じ方向に延在する全体的に平面的な側壁９、１０が設けられる。
【００１１】
基底プレート６から離隔する側の側壁９、１０の端部には、基底プレート６に平行に配向され（延在し）、互いに向って延在するカバープレート（ないしデッキプレート）１１、１２が設けられる。側壁９、１０から離隔する側のカバープレート１１、１２の端面間の距離は、第２パイプ５の外径に相当するが、パイプ４、５が同様に形成されている場合は、パイプ受容凹部７の幅にも相当する。更に、図１から分かるとおり、連結スリーブ１は、断面において矩形ないし方形の弾性アーム１３を有する。この弾性アーム１３は、基底プレート６から所定の距離に配置され、図１の実施例の場合、第２側壁１０から第１側壁９の方向に延在しかつパイプ受容凹部７の横方向におけるほぼ中央部においてパイプ受容凹部７の上方で終端する。
【００１２】
図２は、図１の実施例において、組合わされた（繋ぎ合わされた）２つの連結カラー２、３に連結スリーブ６が外側から（押し込んで）嵌め込まれた状態を、カバープレート１１、１２の上側から見た斜視図である。図２から分かるとおり、弾性アーム１３は、第２側壁１０から第１側壁９の方向に延在し関連するカバープレート１２から所定の距離に形成される取付基部１４を介して第２側壁１０に結合するが、取付基部１４は弾性アーム１３よりもより大きな断面を有する。このため、取付基部１４は弾性アーム１３よりも曲げ抵抗性が著しく大きいので、弾性アーム１３は、弾性アーム１３から取付基部１３［１４の誤記］への移行部にある可撓（屈曲）領域１５において（基点として）、基底プレート６の（に向う）方向及び基底プレート６から離隔する方向に揺動される（反らされる）ことができる。
【００１３】
詳述されない一実施例では、矩形断面を有する弾性アーム１３は、カバープレート１１、１２の面内（の方向）において、この面に直交する方向におけるよりもより大きな材料厚さ（部材の厚さ）を有するので、基底プレート６に向うように又は基底プレート６から離隔するように弾性アーム１３を揺動する（反らす）ために要する力の大きさは、弾性アーム１３をカバープレート１１、１２の面内（の方向）において曲げるために要する力の大きさよりも著しくより小さい。
【００１４】
さらに、図２から明確に分かるとおり、弾性アーム１３には、カバープレート１１、１２の互いに向い合う端面間のほぼ中央部に、図２では見えないパイプ受容凹部７の開口側から（見て）斜めに離隔するよう形成された（斜面を有する）舌状部分の形態の係止爪１６が形成されているが、この舌状部分（係止爪１６）は、図２の組立て状態では、第２連結カラーに形成された（好ましくは第１連結カラーにも形成される）ロックリセス１７に嵌り込む（嵌入して係合する）。
【００１５】
可撓（屈曲）領域１５の反対側に位置する弾性アーム１３の末端部１８には、係止爪１６の領域に、解除要素１９が形成される。解除要素１９は、図示の実施例の場合、弾性アーム１３に（その延在方向に対し）直角に形成され連結スリーブ１の長手方向に延在する長手部分２０と、長手部分２０に付加され（から延出し）基底プレート６及びカバープレート１１、１２から斜めに離隔するように延在する傾斜部分２１と、長手部分２０から離隔する側の傾斜部分２１の末端部からカバープレート１１、１２に平行な面においてカバープレート１１、１２から離隔するよう延在する操作部分２２を含んで構成される。
【００１６】
操作部分２２は、基底プレート６を指向する側に、図示の実施例では平坦な工具作用面を備える。このため、例えば図２には記載されていないねじ回しの先端部（ブレード）を工具作用面に当接して基底プレート６から離隔する方向にねじ回しの先端部（ブレード）を動かすことにより、弾性アーム１３の係止爪１６とロックリセス１７との間の嵌合（係合ロック）を解除することができ、その結果、連結カラー２、３は連結スリーブ１の長手方向でパイプ受容凹部７の開口側の方向における連結スリーブ１と連結カラー２、３との間での相対運動によって容易に取り出され、パイプ４、５は再び互いに分離可能になる。
【００１７】
図３は、図２の組立て状態に関し、係止爪１６がロックリセス１７に嵌まり込む様子の断面を示す。図３から分かるとおり、係止爪１６の傾斜構成によって、連結スリーブ１への導入方向に関する長手方向での連結カラー３の運動は、弾性アーム１３または係止爪１６が破壊されてしまうような大きな力が作用しない間はこの運動方向に抵抗する（反対方向に作用する）傾斜構成によって阻止され、他方、導入方向への運動の際には、弾性爪（係止爪）１６は、導入方向において前方に位置する第２連結カラー３の縁部において（上方に）弾性的に反る（跳ね上げられる）ことができる。
【図面の簡単な説明】
【００１８】
【図１】本発明の連結スリーブおよび夫々１つの連結カラーを備える２つのパイプの一実施例の斜視図。
【図２】図１の実施例において、本発明の連結スリーブが（２つの）連結カラーに外側から（押し込んで）嵌め込まれた状態の斜視図。
【図３】本発明の連結スリーブの一例の係止爪と連結カラーの一例に形成されたロックリセスとの嵌合（係合ロック）状態の断面図。
【図１】
2009541669.tif 000003
【図２】
2009541669.tif 000004
【図３】
2009541669.tif 000005
【手続補正書】
【提出日】平成20年12月22日(2008.12.22)
【手続補正１】
【補正対象書類名】特許請求の範囲
【補正対象項目名】全文
【補正方法】変更
【補正の内容】
【特許請求の範囲】
【請求項１】
夫々１つの連結カラー（２、３）を備える２つのパイプ（４、５）を連結するための連結スリーブであって、
該連結スリーブは、
第１パイプ（４）を受容するため１つの側部で開口するパイプ受容凹部（７）を備える基底プレート（６）と、
対向して位置する２つの側部において前記パイプ受容凹部（７）に平行に前記基底プレート（６）に設けられた２つの側壁（９、１０）と、
夫々１つの側壁（９、１０）に設けられると共に、自身の間に第２パイプ（５）が導入可能に構成された２つのカバープレート（１１、１２）と、
一方の側壁（１０）に結合され、可撓領域（１５）において前記基底プレート（６）の方向及び前記基底プレート（６）から離隔する方向に弾性的に揺動可能に構成されると共に、反対側の（他方の）側壁（９）の方向に延在する弾性アーム（１３）を
有し、
前記弾性アーム（１３）が、前記基底プレート（６）の方向に延在し、少なくとも１つの連結カラー（２、３）に形成されたロックリセス（１７）に嵌り込むよう構成された係止爪（１６）と、前記基底プレート（６）から離隔するよう延在する解除要素（１９）を有する
ことを特徴とする連結スリーブ。
【請求項２】
前記弾性アーム（１３）は、矩形状断面を有すること
を特徴とする請求項１に記載の連結スリーブ。
【請求項３】
前記弾性アーム（１３）は、前記カバープレート（１１、１２）の面内において、この面に直交する方向におけるよりも、より大きな材料厚さを有すること
を特徴とする請求項２に記載のスリーブ。
【請求項４】
前記弾性アーム（１３）は、前記側壁（１０）に形成され、当該弾性アーム（１３）よりもより大きい曲げ抵抗性を有するよう構成された取付基部（１４）に設けられること
を特徴とする請求項１〜３の何れか１項に記載の連結スリーブ。
【請求項５】
前記係止爪（１６）は、平坦な舌状部分として構成されること
を特徴とする請求項１〜４の何れか１項に記載の連結スリーブ。
【請求項６】
前記舌状部分は、前記パイプ受容凹部（７）の開口側から前記基底プレート（６）の方向に向って斜めに離隔するよう延在すること
を特徴とする請求項５に記載の連結スリーブ。
【請求項７】
前記解除要素（１９）は、前記基底プレート（６）に平行に配向された操作部分（２２）を有すること
を特徴とする請求項１〜６の何れか１項に記載の連結スリーブ。
【請求項８】
前記操作部分（２２）は、当該操作部分（２２）の前記基底プレート（６）を指向する側に、平坦な工具作用面を有すること
を特徴とする請求項７に記載の連結スリーブ。
【手続補正２】
【補正対象書類名】明細書
【補正対象項目名】全文
【補正方法】変更
【補正の内容】
【発明の詳細な説明】
【技術分野】
【０００１】
本発明は、夫々１つの連結カラーを備える２つのパイプを連結するための連結スリーブに関する。
【背景技術】
【０００２】
ＤＥ３０３５６６９Ａ１には、係止フックによって互いに対し分離可能に連結される少なくとも２つの部材を有する装置が記載されている。この装置では、第１の部材が、係止エッジを備え、第２の部材が、（開口部に嵌まり込んで）係止エッジにその背後から弾力的に係合する係止ノーズを有する係止フックを備える。係止ノーズは、係止方向（係止力が生成される方向）に対し横方向にシフトすることにより、その係止位置から係止エッジとの係合が解除された開放位置に移すことができるが、この開放位置では、係止ノーズは、横方向にシフトして再び係止位置に戻らないように係止装置によって保護される。このため、これらの（連結されるべき）部材は、多大な組立ての手間や特別な工具を必要とすることなく、比較的容易に互いに分離することは可能ではある。
【特許文献１】ＤＥ３０３５６６９Ａ１
【特許文献２】ＦＲ２８５６７７０Ａ１
【発明の開示】
【発明が解決しようとする課題】
【０００３】
ＦＲ２８５６７７０Ａ１には、夫々１つの連結カラーを備えた２つの管を連結するためのスリーブが記載されている。このスリーブは、半径方向外方に突出する２つの舌状部を備え、該舌状部は、スリーブが連結カラーの周囲に配置される（外側から嵌め合わされる）ことにより、収容ケースに形成された係止ノーズに背後から係合する。しかしながら、係合フック（係合ノーズ）は収容ケースの内部に形成されており、従って、アクセスが困難なので、このスリーブの分離（取り外し）は比較的手間を要する。
【０００４】
本発明の課題は、夫々１つの連結カラーを備える２つのパイプを連結するための連結スリーブであって、該（連結された）２つのパイプの分離ないし連結解除を比較的容易に行うことができる連結スリーブを提供することである。
【課題を解決するための手段】
【０００５】
上記の課題を解決するために、夫々１つの連結カラーを備える２つのパイプを連結するための連結スリーブが提供される。この連結スリーブは、請求項１の特徴を有することを特徴とする。即ち、上記の課題を解決するために、本発明の一視点により、夫々１つの連結カラーを備える２つのパイプを連結するための連結スリーブが提供される。この連結スリーブは、
第１パイプを受容するため１つの側部で開口するパイプ受容凹部を備える基底プレートと、
対向して位置する２つの側部において前記パイプ受容凹部に平行に前記基底プレートに設けられた２つの側壁と、
夫々１つの側壁に設けられると共に、自身の間に第２パイプが導入可能に構成された２つのカバープレートと、
一方の側壁に結合され、可撓領域において前記基底プレートの方向及び前記基底プレートから離隔する方向に弾性的に揺動可能に構成されると共に、反対側の（他方の）側壁の方向に延在する弾性アームを
有し、
前記弾性アームが、前記基底プレートの方向に延在し、少なくとも１つの連結カラーに形成されたロックリセスに嵌り込むよう構成された係止爪と、前記基底プレートから離隔するよう延在する解除要素を有することを特徴とする（形態１・基本構成）。
【発明の効果】
【０００６】
本発明の独立請求項１により、上記課題に対応した効果が達成される。即ち、本発明の連結スリーブにおいては、該連結スリーブによって連結された２つのパイプの分離ないし連結解除を比較的容易に行うことができる。
更に、各従属請求項により付加的な効果が夫々達成される。
なお、特許請求の範囲に付した図面参照符号は発明の理解を助けるためのものに過ぎず、本発明を図示の態様に限定することは意図していない。
【発明を実施するための最良の形態】
【０００７】
本発明の連結スリーブは、連結されるべき（２つの）パイプの連結カラー（複数）に外側から（押し込んで）嵌め込むことができる。その際、ロック位置において、係止爪が、弾性アームの弾性的付勢力によって、連結カラーに形成されたロックリセスに嵌り込む（嵌入して係合する）。このため、連結スリーブは、意図しない（連結カラーからの）分離（連結解除）に対して保障される。連結スリーブを再び分離する（取り外す）ためには、係止爪とロックリセスとの嵌合（係合ロック）が解除され（係止爪がロックリセスから外れ）、連結スリーブが再び引出し可能になるまで、弾性アームは、相応に構成された工具と解除要素を係合した状態で、弾性的付勢方向に抗して揺動される（反らされる）必要がある。この操作は、容易に実行することはできるが、結合（連結）を解除するためには、意図的に実行されなければならない。
【０００８】
本発明の更に有利な形態は、従属請求項の対象である。以下に、本発明の好ましい実施の形態を示すが、形態２〜８は従属請求項の対象である。
（形態１）  上記基本構成参照。
（形態２）  上記の連結スリーブにおいて、前記弾性アームは、矩形状断面を有することが好ましい。
（形態３）  上記の連結スリーブにおいて、前記弾性アームは、前記カバープレートの面内において、この面に直交する方向におけるよりも、より大きな材料厚さを有することが好ましい。
（形態４）  上記の連結スリーブにおいて、前記弾性アームは、前記側壁に形成され、当該弾性アームよりもより大きい曲げ抵抗性を有するよう構成された取付基部に設けられることが好ましい。
（形態５）  上記の連結スリーブにおいて、前記係止爪は、平坦な舌状部分として構成されることが好ましい。
（形態６）  上記の連結スリーブにおいて、前記舌状部分は、前記パイプ受容凹部の開口側から前記基底プレートの方向に向って斜めに離隔するよう延在することが好ましい。
（形態７）  上記の連結スリーブにおいて、前記解除要素は、前記基底プレートに平行に配向された操作部分を有することが好ましい。
（形態８）  上記の連結スリーブにおいて、前記操作部分は、当該操作部分の前記基底プレートを指向する側に、平坦な工具作用面を有することが好ましい。
【０００９】
本発明の更に有利な形態および利点は、以下に詳述する図面を用いた実施例の説明から明らかになる。
【実施例】
【００１０】
図１は、夫々１つの連結カラー２、３を備える２つのシリンダー状パイプ４、５を連結するための本発明の連結スリーブ１の一実施例の斜視図である。この実施例では、連結カラー２、３は矩形状の形状（外形）を有し、パイプ４，５を越えて半径方向に延在している。
【００１１】
プラスチックの射出成形又は金属薄板の打ち抜き・折り曲げにより製造された連結スリーブ１は、１つの側部において開口するパイプ受容凹部７を有する平坦な基底プレート６を有する。パイプ受容凹部７は、連結スリーブ１の長手方向（嵌込方向、図１で水平方向）において、その開口側から横方向に延在する接続ウェブ８まで延在し、例えば第１パイプ４の外径に相当する幅を有する。連結スリーブ１の長手方向に平行に配向される（延在する）基底プレート６の互いに向い合う２つの縁部には、この実施例では、基底プレート６に対し直角に配向され（延在し）かつパイプ４、５の長手方向における２つの連結カラー２、３の厚さに相当する所定の距離をもって基底プレート６から夫々同じ方向に延在する全体的に平面的な側壁９、１０が設けられる。
【００１２】
基底プレート６から離隔する側の側壁９、１０の端部には、基底プレート６に平行に配向され（延在し）、互いに向って延在するカバープレート（ないしデッキプレート）１１、１２が設けられる。側壁９、１０から離隔する側のカバープレート１１、１２の端面間の距離は、第２パイプ５の外径に相当するが、パイプ４、５が同様に形成されている場合は、パイプ受容凹部７の幅にも相当する。更に、図１から分かるとおり、連結スリーブ１は、断面において矩形ないし方形の弾性アーム１３を有する。この弾性アーム１３は、基底プレート６から所定の距離に配置され、図１の実施例の場合、第２側壁１０から第１側壁９の方向に延在しかつパイプ受容凹部７の横方向におけるほぼ中央部においてパイプ受容凹部７の上方で終端する。
【００１３】
図２は、図１の実施例において、組合わされた（繋ぎ合わされた）２つの連結カラー２、３に連結スリーブ６が外側から（押し込んで）嵌め込まれた状態を、カバープレート１１、１２の上側から見た斜視図である。図２から分かるとおり、弾性アーム１３は、第２側壁１０から第１側壁９の方向に延在し関連するカバープレート１２から所定の距離に形成される取付基部１４を介して第２側壁１０に結合するが、取付基部１４は弾性アーム１３よりもより大きな断面を有する。このため、取付基部１４は弾性アーム１３よりも曲げ抵抗性が著しく大きいので、弾性アーム１３は、弾性アーム１３から取付基部１４への移行部にある可撓（屈曲）領域１５において（基点として）、基底プレート６の（に向う）方向及び基底プレート６から離隔する方向に揺動される（反らされる）ことができる。
【００１４】
詳述されない一実施例では、矩形断面を有する弾性アーム１３は、カバープレート１１、１２の面内（の方向）において、この面に直交する方向におけるよりもより大きな材料厚さ（部材の厚さ）を有するので、基底プレート６に向うように又は基底プレート６から離隔するように弾性アーム１３を揺動する（反らす）ために要する力の大きさは、弾性アーム１３をカバープレート１１、１２の面内（の方向）において曲げるために要する力の大きさよりも著しくより小さい。
【００１５】
さらに、図２から明確に分かるとおり、弾性アーム１３には、カバープレート１１、１２の互いに向い合う端面間のほぼ中央部に、図２では見えないパイプ受容凹部７の開口側から（見て）斜めに離隔するよう形成された（斜面を有する）舌状部分の形態の係止爪１６が形成されているが、この舌状部分（係止爪１６）は、図２の組立て状態では、第２連結カラーに形成された（好ましくは第１連結カラーにも形成される）ロックリセス１７に嵌り込む（嵌入して係合する）。
【００１６】
可撓（屈曲）領域１５の反対側に位置する弾性アーム１３の末端部１８には、係止爪１６の領域に、解除要素１９が形成される。解除要素１９は、図示の実施例の場合、弾性アーム１３に（その延在方向に対し）直角に形成され連結スリーブ１の長手方向に延在する長手部分２０と、長手部分２０に付加され（から延出し）基底プレート６及びカバープレート１１、１２から斜めに離隔するように延在する傾斜部分２１と、長手部分２０から離隔する側の傾斜部分２１の末端部からカバープレート１１、１２に平行な面においてカバープレート１１、１２から離隔するよう延在する操作部分２２を含んで構成される。
【００１７】
操作部分２２は、基底プレート６を指向する側に、図示の実施例では平坦な工具作用面を備える。このため、例えば図２には記載されていないねじ回しの先端部（ブレード）を工具作用面に当接して基底プレート６から離隔する方向にねじ回しの先端部（ブレード）を動かすことにより、弾性アーム１３の係止爪１６とロックリセス１７との間の嵌合（係合ロック）を解除することができ、その結果、連結カラー２、３は連結スリーブ１の長手方向でパイプ受容凹部７の開口側の方向における連結スリーブ１と連結カラー２、３との間での相対運動によって容易に取り出され、パイプ４、５は再び互いに分離可能になる。
【００１８】
図３は、図２の組立て状態に関し、係止爪１６がロックリセス１７に嵌まり込む様子の断面を示す。図３から分かるとおり、係止爪１６の傾斜構成によって、連結スリーブ１への導入方向に関する長手方向での連結カラー３の運動は、弾性アーム１３または係止爪１６が破壊されてしまうような大きな力が作用しない間はこの運動方向に抵抗する（反対方向に作用する）傾斜構成によって阻止され、他方、導入方向への運動の際には、弾性爪（係止爪）１６は、導入方向において前方に位置する第２連結カラー３の縁部において（上方に）弾性的に反る（跳ね上げられる）ことができる。
【図面の簡単な説明】
【００１９】
【図１】本発明の連結スリーブおよび夫々１つの連結カラーを備える２つのパイプの一実施例の斜視図。
【図２】図１の実施例において、本発明の連結スリーブが（２つの）連結カラーに外側から（押し込んで）嵌め込まれた状態の斜視図。
【図３】本発明の連結スリーブの一例の係止爪と連結カラーの一例に形成されたロックリセスとの嵌合（係合ロック）状態の断面図。
【手続補正３】
【補正対象書類名】図面
【補正対象項目名】図２
【補正方法】変更
【補正の内容】
【図２】
2009541669.tif 000006
【国際調査報告】
2009541669.tif 000007
2009541669.tif 000008
2009541669.tif 000009
2009541669.tif 000010